(57)【要約】      （修正有）【課題】地震等の振動が発生する場合に、野縁と野縁受の交差部に滑りが生じることのない耐震性を有する緊結吊り金物を提供する。【解決手段】厚さが０．６ｍｍよりも厚い一枚の鋼板を、長手方向に伸びる胴部、胴部から分岐し左右斜め下にそれぞれ降りる一組の控え部４を設けて切断する。胴部の上部に野縁受係止部３ｃ、下部に野縁保持部３ａを形成する。野縁受係止部の屈曲係止片３ｄを野縁受１の上部フランジ１ａ外側から開口部内に屈曲し係止させる。野縁受係止部から続く胴部を野縁受の上部フランジ部からウエブ部１ｂに沿って折り曲げ、ウエブ部と固定させる。野縁保持部の一対の爪部３ｂを野縁のリップ部２ｂに引掛け係止させる。控え部を野縁受ウエブ部と直角になるように谷折りし、野縁２と固定させる。強い地震力が加わった場合に、吊り金物Ａが変形しないようにするための座屈防止のリブを控え部の上部に設ける。【選択図】図１
0003180376.tif 000002
【実用新案登録請求の範囲】
【請求項１】
長手方向に伸びる胴部の上部に野縁受係止部、下部に野縁保持部が形成され、胴部より分岐し左右斜め下にそれぞれ降りる一組の控え部を有する一枚の鋼板であって、野縁受係止部の屈曲係止片を野縁受の上部フランジ外側から開口部内に屈曲し係止させ、野縁受係止部から続く胴部を野縁受の上部フランジからウエブ部に沿って折り曲げウエブ部と固定させ、野縁保持部の一対の爪部を野縁のリップ部に引掛け係止させるようにして野縁及び野縁受を固定する緊結吊り金物であって、野縁受ウエブ部と直角になるように谷折りする前述の控え部は野縁受の上端より野縁下部に到達して野縁をその側面から固定することを特徴とする緊結吊り金物。
【請求項２】
請求項１に記載の緊結吊り金物において、前記控え部の上部にリブ部を付けることを特徴とする緊結吊り金物。
【請求項３】
請求項１及び請求項２記載の緊結吊り金物において、予めビス留めする箇所に、緊結するビス径より小さい穴が設けられることを特徴とする緊結吊り金物。
【考案の詳細な説明】
【技術分野】
【０００１】
本考案は、地震等の振動が発生する場合に、野縁と野縁受の交差部に滑りが生じることのない耐震性を有する緊結吊り金物に関する。
【背景技術】
【０００２】
東日本大震災後、より耐震的な天井構造が求められている。従来の天井下地構造において野縁を野縁受に固定する手段として、特許文献１及び非特許文献１において開示されているクリップがある。しかし、いずれのクリップも下端部に形成した一対以上の爪部を野縁のリップに引掛けて係止させ、クリップ上端部を屈曲し野縁受に引掛けることで野縁を野縁受に固定する構造であるため、地震時の振動によって爪部やリップ部が開くなどの変形や破損があると、野縁は容易に野縁受から外れてしまう。また横方向の振動に対し野縁及び野縁受がスライドしてしまう構造であった。
【０００３】
上下方向への耐震性を有する固定具としては、特許文献２及び特許文献３に示される構造のものがある。これらの固定具はいずれもその上部を野縁受に固着させ、野縁は野縁支持部に挿入される構成となっている。これにより上下方向の振動に対する野縁の浮き上がり及び横方向の振動に対する野縁受の滑りは防止される。しかし、野縁自体はスライド自在に保持する構造であり、横方向の振動が発生した場合には野縁が軸方向に動くことで野縁と野縁受との交差部に滑りが生じるため、耐震性が十分ではない。さらに、特許文献３の吊金具では、野縁の下側に廻されるクリップの厚みによって、野縁の下に固定される天井仕上げ材に不陸が生じるため、室内から見上げる天井部の平滑性が損なわれる。
【０００４】
特許文献４において開示される耐震補強金具は、野縁と野縁受との交差部を強固に固定するものである。野縁受に跨るように配置して野縁に嵌合される第１の金具及び野縁のリップ部を挟み且つ第１の金具に跨るように配置して野縁に取り付けられる第２の金具からなるもので、双方の金具がそれぞれ野縁及び野縁受の双方の軸方向に変位可能であることで地震により生じる衝撃力を吸収する構成となっている。耐震強度を増すためにはより多くの箇所に補強金具を取り付ける必要があるが、部品点数の増加は費用及び作業の手間を増加させ、また重量の増加は他の部材への負担を増加させることになる。
【０００５】
特許文献５に開示されるクリップは特許文献１及び非特許文献１において開示されているクリップと同様の構造であるが、野縁受とクリップの接触部分及び野縁とクリップの接触部分に液性又は粘性状の接着剤を塗布又は注入することで、野縁と野縁受との交差部の滑りを抑止する。しかし、接着剤による固定では強固さに限界がある。
【先行技術文献】
【特許文献】
【０００６】
【特許文献１】実用新案登録第３１２３６９２号
【特許文献２】特開２００２−１０６１０４号
【特許文献３】特開２００８−２６７０１２号
【特許文献４】特開２００９−２４３２２８号
【特許文献５】特開２０１２−１２９１２号
【非特許文献】
【０００７】
【非特許文献１】トーケン工業株式会社のウエブサイトより、製品案内「トーケン式天井下地（軽量鉄骨天井下地）」
【考案の概要】
【考案が解決しようとする課題】
【０００８】
本考案においては、東日本大震災級の振動が発生した場合であっても、野縁と野縁受交差部の滑りを抑止することで上下及び横方向への振動に対して耐震的で野縁の落下を防止する、取付け作業が容易であり、費用が廉価な緊結吊り金物を提供することを目的とする。
【課題を解決するための手段】
【０００９】
本考案の課題は、緊結吊り金物は長手方向に伸びる胴部の上部に野縁受係止部、下部に野縁保持部が形成され、胴部より分岐し左右斜め下にそれぞれ降りる一組の控え部を有する一枚の鋼板であって、野縁受係止部の屈曲係止片を野縁受の上部フランジ外側から開口部内に屈曲し係止させ、野縁受係止部から続く胴部は野縁受の上部フランジからウエブ部に沿って折り曲げウエブ部と固定させ、野縁保持部の一対の爪部を野縁のリップ部に引掛け係止させるようにして野縁及び野縁受を固定する緊結吊り金物であって、野縁受ウエブ部と直角になるように谷折りする前述の控え部は、野縁受の上端より野縁下部に到達して野縁をその側面から固定すると構成されることにより解決される。
【００１０】
前記控え部の上部にリブ部を付けると、控え部の座屈が防止されるため緊結吊り金物の変形を抑えることができるので、より有利である。
【００１１】
予めビス留めする箇所に緊結するビス径より小さい穴を設けておくと、作業がより容易になるとともに適切な緊結が可能となり、またビス留めによる緊結は部品も少なく済むため費用も廉価であって、全体の重量も軽量に抑えられるため、より有利である。
【考案の効果】
【００１２】
請求項１の考案によれば、長手方向に伸びる胴部の上部に野縁受係止部、下部に野縁保持部が形成され、胴部より分岐し左右斜め下にそれぞれ降りる一組の控え部を有する一枚の鋼板であって、野縁受係止部の屈曲係止片を野縁受の上部フランジ外側から開口部内に屈曲し係止させ、野縁受係止部から続く胴部を野縁受の上部フランジからウエブ部に沿って折り曲げウエブ部と固定させ、野縁保持部の一対の爪部を野縁のリップ部に引掛け係止させるようにして野縁及び野縁受を固定する緊結吊り金物において、野縁受ウエブ部と直角になるように谷折りする前述の控え部が、野縁受の上端より野縁下部に到達して野縁をその側面から固定する結果、上下方向の振動に対する野縁の浮き上がりが防止され、また横方向の振動に対する野縁受及び野縁のそれぞれの軸方向への滑りが抑止できるため、交差部の滑りの防止が確実となる。また、振動で爪部やリップ部が開くなどの変形や破損があっても、野縁の落下が防止できる。
【００１３】
請求項２の考案によれば、控え部の上部にリブ部を付けると、控え部の座屈が防止されるため、緊結吊り金物の変形を抑えることができる。
【００１４】
請求項３の考案によれば、予めビス留めする箇所に緊結するビス径より小さい穴を設けておくと、作業がより容易になるとともに適切な緊結が可能となり、またビス留めによる緊結は部品も少なく済むため費用も廉価であって、全体の重量も軽量に抑えられる。
【図面の簡単な説明】
【００１５】
【図１】本考案の一実施例たる緊結吊り金物の使用状態を示した斜視図である。
【図２】本考案の図１の状態に折り曲げる前の形態を表す図である。
【図３】本考案の図２から折り曲げられた後、取り付ける直前の状態の斜視図である。
【００１６】
以下に本考案の実施の形態の例を添付図面に基づいて説明する。一枚の鋼板である緊結吊り金物Ａは、上部に野縁受係止部３ｃ及び下部に野縁保持部３ａを備え長手方向に伸びる胴部３、胴部３より分岐し左右斜め下にそれぞれ降りる一組の控え部４からなる。緊結吊り金物Ａに使用する鋼板は、野縁２及び野縁受１を有効に緊結させるために、従来のＪＩＳクリップの厚さ０．６ｍｍよりも厚いものが好ましい。
【００１７】
前述の野縁受係止部３ｃは屈曲係止片３ｄと切欠き部３ｅを有する。屈曲及び係止が容易になるように、屈曲係止片３ｄの根元部は先端部よりもやや細く、また２片以上あるときにはそれぞれが全体的に切欠け部３ｅ側に向けてやや傾いて形成されることが好ましい。屈曲係止片３ｄを、野縁受１の上部フランジ部１ａ外側からその開口部１ｃ内に向けて屈曲し係止させる。野縁受１の上部フランジ部１ａの長さに応じて屈曲係止片３ｄのいずれの箇所でも屈曲し係止させることができるが、屈曲係止片３ｄの根元部で行うことで、より係止が効果的となる。野縁受係止部３ｃから続く胴部３を、野縁受の上部フランジ１ａからウエブ部１ｂに沿って折り曲げ、ウエブ部１ｂと固定させる。これにより、上下方向への振動（図中、Ｚ方向）防止及び横方向への振動に対し、野縁受１が軸方向（図中、Ｙ方向）にスライドすることが抑えられる。野縁保持部３ａは、一対の爪部３ｂを有する。この爪部３ｂを、それぞれ野縁２の溝開口部２ａの左右に設けられたリップ２ｂに引掛け係止させる。控え部４が胴部３より分岐を開始する箇所は、野縁受の上部フランジ部１ａ及びウエブ部１ｂにより形成される角であることが望ましい。野縁及び野縁受の緊結を効果的にするためである。一組の控え部４には、それぞれその上端にリブ部４ａが設けられる。該控え部４は、野縁受ウエブ部１ｂと直角になるように谷折りされ、野縁受の上端より野縁下部に到達して野縁側面部２ｃにそれぞれ固定される。これにより、横方向への振動に対し、野縁２が軸方向（図中、Ｘ方向）にスライドすることが抑えられる。強い地震力が加わった場合に、吊り金物が変形しないようにするための座屈防止のリブ部４ａを、野縁受１に当たるように、外側に開くように山折りする。
【実施例】
【００１８】
図１は、野縁２と野縁受１が直交するように配設し、これらを緊結吊り金物Ａで緊結する場合の斜視図である。屈曲係止片３ｄを、野縁受１の上部フランジ部１ａ外側から開口部１ｃ内に向けて屈曲し係止させる。野縁受係止部３ｃから続く胴部３を、野縁受の上部フランジ１ａからウエブ部１ｂに沿って折り曲げ、ウエブ部１ｂとビスで固定させる。一対の爪部３ｂを、それぞれ野縁２の溝開口部２ａの左右に設けられたリップ部２ｂに引掛け係止させる。野縁受の上部フランジ部１ａ及びウエブ部１ｂにより形成される角で胴部３より分岐する一組の控え部４は、それぞれ野縁受ウエブ部１ｂと直角になるように谷折りされ、野縁受の上端より野縁下部に到達して野縁側面部２ｃにそれぞれビスで固定される。リブ部４ａを野縁受１に当たるように、外側に開くように山折りし、強い地震力が加わった場合でも吊り金物が変形しないようにするための座屈防止とする。
【００１９】
ビス６ａ〜６ｆは何れも野縁２及び野縁受１外側からそれぞれの開口部１ｃ、２ａ内に貫通する。野縁２及び野縁受１を固定するビスの数は、図示例に限定されるものではなく、ビスの大きさに応じ各箇所１個又は３個以上でもよいが、Ｙ方向の揺れに対する十分な固定のためには左右控え部はそれぞれ少なくとも２個以上であることが望ましい。ビス留めされる場所には予め小さい穴５ａ〜５ｆを設けておくとよい。ビスの径よりも小さい穴とする。控え部４においては、野縁２の短手方向（図中、Ｙ方向）の幅Ｈに応じ貫通するビスの先端同士が野縁の開口部内でぶつからないように、左右の向かい合うビス穴５ｃと５ｅ、５ｄと５ｆの位置をそれぞれずらして左右非対称とすることが望ましい。
【産業上の利用可能性】
【００２０】
本考案によれば、野縁と野縁受交差部の滑りを抑止することで、地震等の上下及び横方向への振動による野縁の落下が防止でき、天井構造の耐震性が向上する。
【符号の説明】
【００２１】
Ａ          緊結吊り金物
１          野縁受
２          野縁
３          胴部
４          控え部
５          ビス穴
６          ビス
【図１】
0003180376.tif 000003
【図２】
0003180376.tif 000004
【図３】
0003180376.tif 000005